(57)【要約】【課題】ブリッセルの中央領域における髪の毛や頭皮への当たり感を変えられるようにするとともに、握りやすく、また、頭皮などへの接触面積も大きくできるようにしたクッションブラシを提供する。【解決手段】柄部２ａやベース部２ｂを有するブラシ本体２と、当該ブラシ本体２のベース部２ｂから弾性体を凸状に膨らませて設けた腹部３と、当該腹部３から起立させた複数本のブリッセル４とを備えてなるクッションブラシ１を構成する。そして、凸状に膨らませた腹部３の略中央部分に、左右幅の狭いウェスト部３１を設け、当該ウェスト部３１の上部側に左右幅の大きな第一領域部３２を設け、ウェスト部３１の下部側に、第一領域部３２よりも左右幅が小さく、ウェスト部３１よりも左右幅の大きな第二領域部３３を設ける。そして、ブリッセル４の開き角度を第一領域部３２よりも第二領域部３３側の方を大きくする。【選択図】図１
2019180701.tif 000002
【特許請求の範囲】
【請求項１】
ブラシ本体と、
当該ブラシ本体の表面から弾性体を凸状に膨らませて設けた腹部と、
当該腹部から起立させた複数本のブリッセルと、
を備えてなるクッションブラシにおいて、
前記腹部の略中央部分に、左右幅を狭くしたウェスト部を設け、
当該ウェスト部を境として、左右幅の大きな第一領域部と第二領域部を設けるようにしたことを特徴とすることを特徴とするクッションブラシ。
【請求項２】
前記第一領域部と第二領域部とウェスト部を跨る縦長方向に沿った中央部分の腹部の高さを同じ曲率とした請求項１に記載のクッションブラシ。
【請求項３】
ウェスト部の前記縦長方向の一方側に、当該ウェスト部よりも左右幅の広い第一領域部を設け、ウェスト部の前記縦長方向の他方側に、前記第一領域よりも左右幅の狭い第二領域部を設けるようにした請求項１に記載のクッションブラシ。
【請求項４】
前記ブラシ本体における前記ウェスト部の存在する側方に、側方から内側へ向けて凹んだ凹部を形成するようにした請求項１に記載のクッションブラシ。
【請求項５】
前記第二領域部の左右方向における各ブリッセルの開き角度を、前記第一領域部の各ブリッセルの開き角度よりも大きくするようにした請求項１に記載のクッションブラシ。
【発明の詳細な説明】
【技術分野】
【０００１】
本発明は、髪の毛のブラッシングや頭皮のマッサージなどを行えるようにしたクッションブラシに関するものである。
【背景技術】
【０００２】
一般に、頭髪に使用されるヘアーブラシは、用途や使用方法などによって次のように分類される。
【０００３】
まず、デンマンブラシは、最も一般的に用いられるブラシであって、柄部を有するブラシ本体の上部側に細長い楕円状のベース部を設け、その表面からブリッセルを起立させてブラッシングを行えるようにしたものである。
【０００４】
また、ロールブラシは、柄部を有するブラシ本体の上部側に棒状のベース部を設け、その棒状のベース部の外周から放射状にブリッセルを起立させるようにしたもので、癖毛直しやドライヤー仕上げなどの際に使用されるものである。
【０００５】
また、クッションブラシは、ブラシ本体の上部側のベース部にゴムや樹脂などの弾性体を膨らました腹部を設け、その腹部からブリッセルを起立させるようにしたものであって、その腹部のクッションによってブリッセルに弾性を与え、無理なく髪の毛をほぐすことができるようにするとともに、頭皮のマッサージなども行えるようにしたものである（特許文献１など）。
【０００６】
ところで、このようなヘアーブラシのうち、腹部を膨らませたクッションブラシにおいては、腹部の素材や膨らまし方によって頭皮への当たり感の強さが変わってしまう。具体的には、頭皮を押さえた場合、腹部の撓み量が大きいと、頭皮への当たり感が柔らかくなる一方、頭皮を押さえた場合における腹部の撓み量が小さいと、頭皮への当たり感が強くなる。
【先行技術文献】
【特許文献】
【０００７】
【特許文献１】特開２００３−１８９９４２号公報
【発明の概要】
【発明が解決しようとする課題】
【０００８】
しかるに、従来のクッションブラシにおいては、腹部を均一に膨らませるようにしているため、最も使用される中央部分を頭皮に押圧させた際、使用者によっては、ソフトに当たり過ぎて好みに合わない場合があった。このとき、腹部の外周部分である撓み量の小さな領域を使用すれば、当たり感を強くなるが、そのような領域は現実的に使用することができない。
【０００９】
また、従来の腹部は、凸状をなすように膨らんでいるため、頭部を押圧する際に、点接触の状態で頭部に当たり、多くの髪の毛を絡ませたり、広範囲の頭皮に当ててマッサージさせたりすることができないといった問題があった。
【００１０】
さらには、従来のクッションブラシでは、柄部を握ってブリッセルを髪の毛に絡ませたり、頭皮をマッサージするようにするが、頭皮を押圧してマッサージする際、柄部を強く握らなければならず、手が滑ったり、長時間のマッサージで手が疲れてしまうなどの問題もあった。
【００１１】
そこで、本発明は上記課題を解決するために、ブリッセルの中央部分における髪の毛や頭皮への当たり感を変えられるようにするとともに、握りやすく、また、頭皮などへの接触面積も大きくできるようにしたクッションブラシを提供することを目的とする。
【課題を解決するための手段】
【００１２】
すなわち、本発明は上記課題を解決するために、ブラシ本体と、当該ブラシ本体の表面から弾性体を凸状に膨らませて設けた腹部と、当該腹部から起立させた複数本のブリッセルとを備えてなるクッションブラシにおいて、前記腹部の略中央部分に、左右幅を狭くしたウェスト部を設け、当該ウェスト部を境として、左右幅の大きな第一領域部と第二領域部を設けるようにしたものである。
【００１３】
このように構成すれば、第一領域部と第二領域部に撓み量の変化を付けることができ、好みの硬さ領域のブリッセルを使用してブラッシングやマッサージを行うことができる。また、ウェスト部を略中央部分に設けることで、そこを中心として左右両側から内側へ湾曲したブリッセル領域を設けることができ、頭の湾曲形状に合わせてブリッセルを当てて髪の毛を絡ませたり、頭皮に当ててマッサージしたりすることもできるようになる。
【００１４】
また、このような発明において、第一領域部と第二領域部とウェスト部を跨る縦長方向に沿った中央部分の腹部の高さを同じ曲率とする。
【００１５】
このように構成すれば、中央部分での高さや湾曲状態がほぼ同じになり、中央部分に凹みなどを設けることなく、頭皮に多くのブリッセルを当てることができるようになる。
【００１６】
さらに、ウェスト部の前記縦長方向の一方側に、当該ウェスト部よりも左右幅の広い第一領域部を設け、ウェスト部の前記縦長方向の他方側に、前記第一領域よりも左右幅の狭い第二領域部を設けるようにする。
【００１７】
このように構成すれば、第一領域部、第二領域部、ウェスト部の順に硬さを持たせることができるとともに、ウェスト部を境として当たり感の強い領域と柔らかい領域を明確に分けて使用させることができるようになる。
【００１８】
また、前記ブラシ本体における前記ウェスト部の存在する側方に、側方から内側へ向けて凹んだ凹部を形成する。
【００１９】
このように構成すれば、凹部の外側からブラシ本体を挟んで握ることができるため、ブラシ本体をしっかりと握ることができるようになる。
【００２０】
また、前記第二領域部の左右方向における各ブリッセルの開き角度を、第一領域部の開き角度よりも大きくする。
【００２１】
このように構成すれば、髪の毛の量や解く場所の違いによって、最適なブリッセルの開き角度の場所を選んで使用することができるようになる。
【発明の効果】
【００２２】
本発明によれば、ブラシ本体と、当該ブラシ本体の表面から弾性体を凸状に膨らませて設けた腹部と、当該腹部から起立させた複数本のブリッセルとを備えてなるクッションブラシにおいて、前記腹部の略中央部分に、左右幅を狭くしたウェスト部を設け、当該ウェスト部を境として、左右幅の大きな第一領域部と第二領域部を設けるようにしたので、第一領域部と第二領域部に撓み量の変化を付けることができ、好みの硬さ領域のブリッセルを使用してブラッシングやマッサージを行うことができる。また、ウェスト部を略中央部分に設けることで、そこを中心として左右両側から内側へ湾曲したブリッセル領域を設けることができ、頭の湾曲形状に合わせてブリッセルを当てて髪の毛を絡ませたり、頭皮に当ててマッサージしたりすることもできるようになる。
【図面の簡単な説明】
【００２３】
【図１】本発明の一実施の形態におけるクッションブラシの正面図
【図２】同形態における左右対称形状をなすクッションブラシの右側面図
【図３】同形態におけるクッションブラシの平面図
【図４】図１におけるクッションブラシの各断面の比較図
【図５】同形態におけるクッションブラシの底面図
【図６】同形態におけるクッションブラシの背面図
【図７】底面図同形態における柄部を握った状態図
【図８】同形態におけるベース部を握った状態図
【発明を実施するための形態】
【００２４】
以下、本発明の一実施の形態におけるクッションブラシ１について説明する。
【００２５】
このクッションブラシ１は、人間の髪の毛のブラッシングや、頭皮のマッサージを行えるようにしたものであって、図１に示すように、柄部２ａを有するブラシ本体２の上部側にベース部２ｂを設け、そのベース部２ｂから膨らませた腹部３（網掛部分であってクッションブラシ１の部分意匠としての特徴も有する部分）に複数本のブリッセル４を起立させるようにしたものである。そして、特徴的に、その腹部３の略中央部分の左右両幅を狭くしたウェスト部３１を設け、また、そのウェスト部３１の上端側に左右両幅を大きくした第一領域部３２を設けるとともに、ウェスト部３１の下端側に、ウェスト部３１よりも左右幅が大きく第一領域部３２よりも左右両幅の小さな第二領域部３３を設けるようにしたものである。そして、このように構成することにより、第一領域部３２の撓み量を大きくしてブラッシングに使用できるようにするとともに、第二領域部３３の撓み量を小さくしてマッサージに使用できるようにしたものである。以下、本実施の形態におけるクッションブラシ１について詳細に説明する。なお、説明の関係上、柄部２ａを握った際にベース部２ｂが存在する側を上部側とし、柄部２ａが存在する側を下部側として説明する。
【００２６】
まず、ブラシ本体２は、柄部２ａやベース部２ｂを有するように構成されるものであって、静電気の発生などを防止するために木製の素材などで構成される。
【００２７】
このうち、柄部２ａについては、図７や図１に示すように、人差指および中指、薬指および小指などがそれぞれ収まるような凹部２１ａ、２１ｂを設けている。そして、これらの凹部２１ａ、２１ｂに指を配置させるとともに、柄部２ａの下端部分を手掌の小指球に押し当てることで、全体的に手にフィットさせて握れるようにしている。
【００２８】
一方、ベース部２ｂは、柄部２ａの上方に設けられるものであって、その表面に腹部３を装着できるように構成されている。このベース部２ｂは、図８に示すように、この部分だけを手で掴めるようにするために、背面部２２（図２および図６参照）を、指や手掌の形状に合わせた湾曲形状にするとともに、略中央部分の左右両側に内側へ凹んだ凹部２３（図１参照）を設けて、親指や、人差指および中指で左右両側から挟み込めるようにしている。また、この左右に設けられた凹部２３には、親指や人差指および中指の第一関節から先の部分を表側に屈曲させて持たせられるように屈曲部２４を設けるようにしている。一方、この凹部２３よりも下方側の側面（第二領域部３３の外側側面）については、左右幅を第一領域部３２の左右幅よりも小さくしておき、全体としてベース部２ｂが「芭蕉扇形状」（あるいは、「逆瓢箪形状」）をなすようにしている。これによって、図８に示すように、手掌や指全体でベース部２ｂを持たせるようにするとともに、親指や人差指・中指で左右から凹部２３を挟み込み、また、「芭蕉扇形状」の第二領域部３３付近の外側を手掌の母子球で押圧して、全体的に手にフィットさせるようにしている。
【００２９】
次に、腹部３は、ベース部２ｂの表面側に取り付けられるものであって、図２に示すように、ゴムや樹脂などの弾性体を凸状に膨らませて設けられている。この腹部３をベース部２ｂに設ける場合、図４に示すように、ベース部２ｂに凹状の刳り貫き部２５を形成しておき、その刳り貫き部２５に腹部３を膨らませた状態で取り付けるようにする。
【００３０】
この腹部３は、平面視において、ベース部２ｂとほぼ同じ形状である「芭蕉扇形状」をなすように設けられており（図１参照）、略中央部分に左右幅の狭いウェスト部３１を設けるようにしている。そして、そのウェスト部３１の上側に、ウェスト部３１よりも左右幅の大きな第一領域部３２を設け、また、ウェスト部３１の下側に、前記ウェスト部３１よりも左右幅が大きく、かつ、前記第一領域部３２よりも左右幅の小さい第二領域部３３を設けるようにしている。また、この腹部３の縦方向中央に沿った高さについては、図２に示すように、全体として円弧状をなすような同一曲率を有するようになっており、これによって、部分的な凹凸などを有さない形状としている。
【００３１】
このように構成された第一領域部３２は、左右幅が大きくなっているため、押圧した際に、中央部分における撓み量が大きくなる。これにより、この第一領域部３２の略中央部分は柔らかな当たり感を与えることができ、また、面積が大きいため、ブラッシングとして好適に使用することができる。一方、第二領域部３３については、左右幅が小さくなっているため、押圧した際の略中央部分での撓み量が小さくなり、硬い当たり感を与えて、頭皮へのマッサージに使用することができる。
【００３２】
この腹部３に取り付けられるブリッセル４は、均一な厚みを有する弾性体の表面から、格子状に起立して設けられる。このとき、この腹部３を凸状に膨らませると、放射状にブリッセル４が開くようになるが、第一領域部３２では、図４の上図に示すように、腹部３の左右方向に沿った曲率が小さいため、ブリッセル４の開き角度θ１も小さくなる。一方、第二領域部３３では、図４の下図に示すように、腹部３の左右方向に沿った曲率が大きくなるため、ブリッセル４の開き角度θ２も大きくなる。これにより、このブリッセル４の開き角度の差を利用して、髪の毛の量やマッサージの位置に応じて最適な場所を選んで使用することができるようになり、特に、細かく髪の毛を解く場合は、開き角度の密な第一領域部３２を使用し、また、スタイルを整えるような場合は、開き角度の大きな第二領域部３３のブリッセルの先端部分を軽く使用することができる。
【００３３】
また、このブリッセル４のうち、ウェスト部３１の近傍におけるブリッセル４については、そのウェスト部３１の湾曲形状に対応して、左右両側から湾曲するように起立することになる。これにより、その湾曲したウェスト部３１の近傍から頭部にブリッセル４を当てることにより、頭部の凸状形状と、ウェスト部３１の近傍における凹状のブリッセル４とを沿わせることができ、広範囲にブリッセル４を当ててブラッシングやマッサージなどを行うことができるようになる。
【００３４】
次に、このように構成されたクッションブラシ１の製造方法について説明する。
【００３５】
まず、ブラシ本体２の上部側に設けられたベース部２ｂに、腹部３を取り付けるための刳り貫き部２５を形成しておく。
【００３６】
また、これとともに、ゴムや樹脂などで形成された弾性体に、格子状にブリッセル４を規則正しく配列して起立させておき、この弾性体を「芭蕉扇形状」を成すように切断する。このように「芭蕉扇形状」に弾性体を切断する際、ベース部２ｂに嵌め込んだ際に、略中央の縦長線に沿った高さがほぼ同じ曲率となるように切断する。
【００３７】
そして、その弾性体をベース部２ｂの刳り貫き部２５にはめ込んでいき、ベース部２ｂとの接触部分を接着剤などで固定させる。
【００３８】
すると、図２に示すように、ベース部２ｂから凸状に膨らんだ腹部３が形成され、内側が空洞となった弾性領域が形成される。このとき、第一領域部３２については、左右幅が大きくなっているため、ブリッセル４の撓み量が大きくなるとともに、左右方向の曲率が小さくなり、ブリッセル４の開き角度も小さくなる。一方、第二領域部３３については、左右幅が小さく、かつ、高さについては第一領域部３２とほぼ同じであるため、ブリッセル４の撓み量が小さくなるとともに、曲率も大きくなって、ブリッセル４の開き角度が大きくなる。
【００３９】
そして、このように構成されたクッションブラシ１を使用する場合において、まず、柄部２ａを握って使用する場合は、図７に示すように、親指を第二領域部３３の側面から凹部２１ａに位置させ、また、人差指や中指をその凹部２１ａに対向する凹部２１ａに位置させる。また、薬指や小指については、その下方の凹部２１ｂに位置させ、柄部２ａの下端部分については、手掌の小指球に当てて握らせる。
【００４０】
一方、ベース部２ｂを握って使用する場合は、図８に示すように、手掌を背面部２２の湾曲部分に密着させるとともに、親指をベース部２ｂの側面の凹部２３に位置させ、第一関節から指先の部分を屈曲部２４に位置させる。また、人差指や中指については、これに対向する側の凹部２３に位置させ、第一関節から指先の部分を屈曲部２４に位置させる。
【００４１】
そして、このように握ったクッションブラシ１を使用する場合、次のようにして使用する。
【００４２】
まず、ブラッシングを行う場合、上端部分の第一領域部３２を主として使用する。この第一領域部３２は、比較的面積も大きく、また、クッション性も大きいため、髪の毛を強く引っ張って痛めるようなことがなく、柔らかくブラッシングをさせることができる。また、ウェスト部３１の湾曲した部分から髪の毛にブリッセル４を入れて解く場合は、頭部の凸状形状に合わせてブリッセル４を髪の毛に絡ませて使用し、より多くの髪の毛をブリッセル４に絡ませて広範囲にブラッシングすることができるようになる。また、多くの髪の毛を解く場合は、第一領域のブリッセル４のように開き角度の小さなブリッセル４を使用し、髪の毛のセット状態を整えるような場合は、第二領域部３３のブリッセル４のように開き角度の大きなブリッセル４の先端部分を用いてセットする。
【００４３】
一方、マッサージを行う場合は、第二領域部３３を主として使用する。この第二領域部３３は、左右幅が狭く、腹部３の撓み量が小さくなるため、比較的硬い当たり感を与えることができ、これを頭皮に押圧させることにより、マッサージに使用することができる。このような第二領域部３３は、柄部２ａに近い側に設けられるため、手の押圧力をそのまま伝えることができるため、手の疲れなどを防止することができるようになる。
【００４４】
このように上記実施の形態によれば、ブラシ本体２と、当該ブラシ本体２の表面から弾性体を凸状に膨らませて設けた腹部３と、当該腹部３から起立させた複数本のブリッセル４とを備えてなるクッションブラシ１において、前記腹部３の略中央部分に、左右幅を狭くしたウェスト部３１を設け、当該ウェスト部３１を境として、左右幅の大きな第一領域部３２と第二領域部３３を設けるようにしたので、第一領域部３２および第二領域部３３に撓み量の変化を付けることができ、好みの硬さ領域のブリッセル４を使用してブラッシングやマッサージを行うことができるようになる。また、ウェスト部３１を略中央部分に設けることで、そこを中心として左右両側から内側へ湾曲したブリッセル４領域を設けることができ、頭の湾曲形状に合わせてブリッセル４を当てて髪の毛を絡ませたり、頭皮に当ててマッサージしたりすることができるようになる。
【００４５】
なお、本発明と上記実施の形態において、ブラシ本体２はブラシ本体２に対応し、腹部３は腹部３に対応し、ブリッセル４はブリッセル４に対応し、ウェスト部３１・第一領域部３２・第二領域部３３は、それぞれウェスト部３１・第一領域部３２・第二領域部３３に対応するが、上記実施の形態に示された形状や構成に限定されるものではない。
【００４６】
例えば、上記実施の形態においては、柄部２ａを有するクッションブラシ１を例に挙げて説明したが、柄部２ａを有さないクッションブラシにも適用することができる。
【００４７】
また、上記実施の形態においては、第一領域部３２・ウェスト部３１・第二領域部３３の外縁を湾曲させて連続的な「芭蕉扇形状」としたが、上下方向に逆向けの「逆芭蕉扇形状」（あるいは「瓢箪形状」）としてもよい。
【００４８】
さらに、上記実施の形態では、腹部３の内側空間を空洞にしてクッション性を持たせるようにしたが、スポンジなどの他のクッション材を入れて撓み量の強さを適宜調整するようにしてもよい。
【符号の説明】
【００４９】
１・・・クッションブラシ
２・・・ブラシ本体
２ａ・・・柄部
２ｂ・・・ベース部
２１ａ、２１ｂ・・・凹部
２２・・・背面部
２３・・・凹部
２４・・・屈曲部
２５・・・刳り貫き部
３・・・腹部
３１・・・ウェスト部
３２・・・第一領域部
３３・・・第二領域部
４・・・ブリッセル
【図１】
2019180701.tif 000003
【図２】
2019180701.tif 000004
【図３】
2019180701.tif 000005
【図４】
2019180701.tif 000006
【図５】
2019180701.tif 000007
【図６】
2019180701.tif 000008
【図７】
2019180701.tif 000009
【図８】
2019180701.tif 000010